(57)【要約】      （修正有）【課題】簡単な構成を有するとともに、無理な力が吹かされた場合であっても、レセプタクル自体が破損しないのはもちろんのこと、プリント配線基板に接続された信号線が断線するのを抑制する。【解決手段】プラグＰｇを受け入れるための挿入孔１３と、信号線１４とを備える本体部１と、天板２１、本体部１の側面と当接する２個の側壁部２２及び側壁部２２それぞれの下方より伸びるピン足２３とを備えたハウジング２とを有し、ピン足２３にて囲まれる領域の内部に信号線１４が配置されるように形成されているレセプタクルＡ。【選択図】図２
2007265903.tif 000002
【特許請求の範囲】
【請求項１】
前面に信号伝送用のプラグを受け入れるための挿入孔と、背面に信号線とを備えた直方体形状の本体部と、
前記本体部の上面と当接する天板と、前記天板の両側端部を折り曲げて形成された一対の側壁部とを備えたハウジングとを有し、
前記一対の側壁部は、下端部の前面側の端部から下方に伸びる前面側ピン足と、背面側の端部から下方に伸びる背面側ピン足とを有しており、
前記ハウジングの天板を前記本体部の上面と当接させ、前記一対の側壁部で前記本体部の前記貫通孔及び前記信号線が配置されていない側面を当接保持し、前記前面側ピン足及び背面側ピン足をプリント配線基板に予め形成されている貫通孔に挿通させ該貫通孔より突出した部分をはんだ付けし、前記信号線を前記プリント配線基板の表面に形成された配線パターンにはんだ付けすることで、前記プリント配線基板上に固着されるレセプタクルであって、
前記ハウジングは前記天板及び前記側壁部の長さが前記本体部の前面から背面までの長さよりも長く形成されており、前記信号線と前記プリント配線基板とのはんだ付け部が前記一対の側壁部の前記前面側ピン足及び背面側ピン足で囲まれる領域の内部に入るように形成されていることを特徴とするレセプタクル。
【請求項２】
前面側に配置され信号伝送用のプラグを受け入れるための挿入孔と、背面側に配置される信号線とを備える本体部と、
前記本体部の上面と当接する天板と、前記天板の両側端部を折り曲げて形成され、前記本体部の前記貫通孔及び前記信号線が配置されていない側面と当接する２個の側壁部とを備えたハウジングと、
前記２個の側壁部はそれぞれの下端部より下方に伸びる複数個のピン足を備えており、前記ハウジングの天板を前記本体部の上面と当接させ、前記各側壁部で前記本体部の前記貫通孔及び前記信号線が配置されていない側面を当接保持し、前記ピン足をプリント配線基板に予め形成されている貫通孔に挿通させ該貫通孔より突出した部分をはんだ付けするとともに、前記信号線を前記プリント配線基板の表面に形成された配線パターンにはんだ付けすることで、前記プリント配線基板上に固着されるレセプタクルであって、
前記複数のピン足は前記信号線と前記プリント配線基板とのはんだ付け部が該複数のピン足で囲まれる領域の内部に位置するように形成されていることを特徴とするレセプタクル。
【請求項３】
前記２個の側壁部は互いに異なる形状を有していることを特徴とする請求項２に記載のレセプタクル。
【発明の詳細な説明】
【技術分野】
【０００１】
本発明は、ＤＶＤ、ＶＴＲ、ＴＶ受像機等の電子機器に備えられ、無理な力がかかった場合であっても、断線しにくい構造を有するレセプタクルに関するものである。
【背景技術】
【０００２】
ＤＶＤプレーヤ、ＤＶＤレコーダ、ＶＴＲ、ＴＶ受像機等の電子機器を互いに接続し信号のやり取りをする場合、ケーブルを介して行われる場合が多い。このケーブルの両端部にはプラグが取り付けられており、前記電子機器には前記プラグと接続するレセプタクルが備えられている。
【０００３】
図７に従来のレセプタクルの側面図を示す。図７に示すレセプタクルＣは本体部９１と、前記本体部を内部に収容したハウジング９２とを有しており、プリント配線基板ＰＢに実装されている。
【０００４】
本体部９１は信号伝送を行うための複数の端子９１１と、端子９１１を並べて配置するための端子ホルダ９１２と、前面９１Ｆに形成され端子ホルダ９１２が中央に配置されているとともに、ケーブルＣｂの端部に取り付けられたプラグＰｂを挿入するための挿入孔９１３と、背面９１Ｒに前記複数の端子９１１それぞれと連結する信号線９１４とを有している。
【０００５】
ハウジング９２は天板９２１と、天板９２１の両側部より下方に伸びる一対の側壁部９２２と、側壁部９２２の下方に伸びるピン足９２３とを有しており、金属の薄板を折り曲げて形成されている。ピン足９２３は側壁部９２２の前面側及び背面側に取り付けられている。
【０００６】
本体部９１はその上面をハウジング９２の天板９２１に、側面をハウジング９２の側壁部９２２と接触することで、ハウジング９２に保持されている。ハウジング９２のピン足９２３はプリント配線基板ＰＢに形成された貫通孔ＰＢ１に挿通されはんだ付けにて固定されている。このとき、ピン足９２３は平面視長方形を成すように固定されており、このように、配置されることで、レセプタクルＣはプリント配線基板ＰＢに安定して固定される。
【０００７】
さらに、信号線９１４はプリント配線基板ＰＢにプリント配線基板ＰＢのレセプタクルＣが取り付けられる側に形成されている配線パターンとはんだ付けにて取り付けられ（面実装）、信号の授受を行うものである（実用新案登録第３１１７１５５号公報、特開２００４−７９２０２号公報等参照）。
【０００８】
ハウジング９２に形成されたピン足９２３をプリント配線基板ＰＢにはんだ付けにて固定するので、レセプタクルＣはプリント配線基板ＰＢに安定的に配置される。
【特許文献１】実用新案登録第３１１７１５５号公報
【特許文献２】特開２００４−７９２０２号公報
【発明の開示】
【発明が解決しようとする課題】
【０００９】
例えばレセプタクルＣにプラグＰｇが挿入されているとき、そのプラグＰｇ及びプラグＰｇが取り付けられているケーブルＣｂの重みで、レセプタクルＣには下向きに荷重がかかる。また、通常レセプタクルＣは電子機器の背面に取り付けられていることが多いため、ユーザがプラグＰｂを抜き挿しする場合、レセプタクルＣとプラグＰｇの相対位置が掴みにくく、抜き差しを行うときに、無理な力がかかることもある。さらに、ラック等に配置したときに、該ラックの背面板とプラグＰｇ及び（又は）ケーブルＣｂが当接して、無理な力がかかることもある。
【００１０】
また、上記した以外にも、さまざまな力がプラグＰｇを介してレセプタクルＣに作用する。レセプタクルＣに力が作用した場合、レセプタクルＣはプリント配線基板ＰＢに固定されているため、レセプタクルＣのピン足９２３を介してプリント配線基板ＰＢに力がかかる。
【００１１】
図８に従来のレセプタクルに力が付加したときの状態の側面図を示す。図８に示すように、レセプタクルＣに下向きの力（図８中矢線Ａｒ９１で示す）が付加されると、その力はレセプタクルＣのハウジング９２を介して、プリント配線基板ＰＢに作用する。このとき、プリント配線基板ＰＢのピン足９２３が固定されている領域は、プリント配線基板ＰＢの全体に比べて小さなエリアであるので、変形しにくいが、レセプタクルＣの背面側のピン足９２３よりも更に背面側の領域は、レセプタクルＣのから作用する力によって、下向きにたわむ。プリント配線基板ＰＢに負荷がかかると、ハウジング９２の背面側に形成されたピン足９２３を支点にプリント配線基板ＰＢがたわむ。
【００１２】
プリント配線基板ＰＢは下向きにたわむので、プリント配線基板ＰＢの上面は引張応力が作用する。ハウジング９２は本体部９１をちょうど覆う形状を有するものがほとんどであり、本体部９１の背面側に形成された信号線９１４はハウジング９２の外部に露出した状態で実装されている。このとき、ハウジング９２の背面側のピン足９２３を支点にプリント配線基板ＰＢがたわむと、信号線９１４とプリント配線基板ＰＢの配線パターンとのはんだ付け部分にせん断力が発生し亀裂が発生することがあり、最悪の場合信号線９１４が断線する不具合が発生することがある。
【００１３】
そこで本発明は、上述した問題を解決するためになされたものであり、簡単な構成を有するとともに、無理な力が吹かされた場合であっても、レセプタクル自体が破損しないのはもちろんのこと、プリント配線基板に接続された信号線が断線するのを抑制するレセプタクルを提供することを目的とする。
【課題を解決するための手段】
【００１４】
上記目的を達成するために本発明は、前面に信号伝送用のプラグを受け入れるための挿入孔と、背面に信号線とを備えた直方体形状の本体部と、前記本体部の上面と当接する天板と、前記天板の両側端部を折り曲げて形成された一対の側壁部とを備えたハウジングとを有し、前記一対の側壁部は、下端部の前面側の端部から下方に伸びる前面側ピン足と、背面側の端部から下方に伸びる背面側ピン足とを有しており、前記ハウジングの天板を前記本体部の上面と当接させ、前記一対の側壁部で前記本体部の前記貫通孔及び前記信号線が配置されていない側面を当接保持し、前記前面側ピン足及び背面側ピン足をプリント配線基板に予め形成されている貫通孔に挿通させ該貫通孔より突出した部分をはんだ付けし、前記信号線を前記プリント配線基板の表面に形成された配線パターンにはんだ付けすることで、前記プリント配線基板上に固着されるレセプタクルであって、前記ハウジングは前記天板及び前記側壁部の長さが前記本体部の前面から背面までの長さよりも長く形成されており、前記信号線と前記プリント配線基板とのはんだ付け部が前記一対の側壁部の前記前面側ピン足及び背面側ピン足で囲まれる領域の内部に入るように形成されていることを特徴とする。
【００１５】
この構成によると、前記信号線が前記ピン足にて囲まれる領域の内側で前記プリント配線基板に面実装されるので、前記レセプタクルに前記プラグの抜き挿し方向以外の力が付与し、前記プリント配線基板がたわんだ場合であっても、前記信号線にせん断応力等の該信号線を破損したり、プリント配線基板から引き離そうとする力（応力）が発生するのを抑制することが可能である。
【００１６】
このことによると、前記レセプタクルに前記プラグを介して、外部からの力が付勢されたとしても、前記プラグとの間で安定して信号をやり取りすることが可能である。
【００１７】
上記目的を達成するために本発明は、前面側に配置され信号伝送用のプラグを受け入れるための挿入孔と、背面側に配置される信号線とを備える本体部と、前記本体部の上面と当接する天板と、前記天板の両側端部を折り曲げて形成され、前記本体部の前記貫通孔及び前記信号線が配置されていない側面と当接する２個の側壁部とを備えたハウジングと、前記２個の側壁部はそれぞれの下端部より下方に伸びる複数個のピン足を備えており、前記ハウジングの天板を前記本体部の上面と当接させ、前記各側壁部で前記本体部の前記貫通孔及び前記信号線が配置されていない側面を当接保持し、前記ピン足をプリント配線基板に予め形成されている貫通孔に挿通させ該貫通孔より突出した部分をはんだ付けするとともに、前記信号線を前記プリント配線基板の表面に形成された配線パターンにはんだ付けすることで、前記プリント配線基板上に固着されるレセプタクルであって、前記複数のピン足は前記信号線と前記プリント配線基板とのはんだ付け部が該複数のピン足で囲まれる領域の内部に位置するように形成されていることを特徴とする。
【００１８】
この構成によると、前記信号線が前記ピン足にて囲まれる領域の内側で前記プリント配線基板に面実装されるので、前記レセプタクルに前記プラグの抜き挿し方向以外の力が付与し、前記プリント配線基板がたわんだ場合であっても、前記信号線にせん断応力等の該信号線を破損したり、プリント配線基板から引き離そうとする力（応力）が発生するのを抑制することが可能である。
【００１９】
このことによると、前記レセプタクルに前記プラグを介して、外部からの力が付勢されたとしても、前記プラグとの間で安定して信号をやり取りすることが可能である。
【００２０】
上記構成において、前記２個の側壁部は互いに異なる形状を有していてもよい。
【発明の効果】
【００２１】
本発明によると、簡単な構成を有するとともに、無理な力が吹かされた場合であっても、レセプタクル自体が破損しないのはもちろんのこと、プリント配線基板に接続された信号線が断線するのを抑制するレセプタクルを提供することができる。
【００２２】
また本発明によると、簡単な構造の部材を用いることで、プリント配線基板に接続された信号線の断線の発生を抑制することができ、それだけ、製造の手間とコストを低減することができる。
【発明を実施するための最良の形態】
【００２３】
以下に本発明の実施形態を図面を参照して説明する。図１に本発明にかかるレセプタクルの一例の拡大正面図を、図２に図１に示すレセプタクルの拡大側面図を、図３に図１に示すレセプタクルのＸ−Ｘ断面図を、図４に図１に示すレセプタクルの本体部とハウジングとを分解した状態の斜視図をそれぞれ示す。
【００２４】
図１、図２、図３に示すレセプタクルＡはそれには限定されないがここでは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格のレセプタクルである。レセプタクルＡは、本体部１と、前記本体部を内部に収容したハウジング２とを有しており、プリント配線基板ＰＢに実装されている。
【００２５】
図１、図２、図３に示すように、本体部１はそれには限定されないが直方体形状を有しており、信号伝送を行うための複数の端子１１と、端子１１を並べて配置するための端子ホルダ１２と、前面１Ｆに形成され端子ホルダ１２が中央に配置されているとともに、信号伝送用のケーブルＣｂの端部に取り付けられたプラグＰｂを挿入するための挿入孔１３と、背面１Ｒに前記複数の端子１１それぞれと連結する信号線１４とを有している。図１、図３に示すように端子１１及び信号線１４は２４個備えられているものを示しているが、それに限定されるものではなく、ＨＤＭＩ規格にのっとった個数備えているものとする。
【００２６】
図１に示すように、端子ホルダ１２は挿入孔１３の略中央に配置されており、複数の端子１１が上面及び下面に並んで配置されている。プラグＰｇは図示を省略しているが、挿入孔１３に挿入される部分が筒状に形成されており、内周部に端子１１と接触する端子を備えている。レセプタクルＡの端子１１とプラグＰｇの端子が接触することで、信号の授受を行うことができる。
【００２７】
ハウジング２は、それには限らないが、金属の薄板を折り曲げて形成されているものであり、レセプタクルＡをプリント配線基板ＰＢに強固に固定するものであるとともに、不要輻射を防御するシールドとしても利用される。ハウジング２は天板２１と、天板２１の両側部より下方に伸びる一対の側壁部２２と、側壁部２２の下方より伸びるピン足２３とを有している。ピン足２３は側壁部２２の前面側２Ｆ及び背面側２Ｒの端部より一体的に伸びて形成されている。
【００２８】
図４に示すように、ハウジング２の天板２１及び側壁部２２の前面から背面までの長さＬ１は、本体部１の前面１Ｆから背面１Ｒまでの長さＬ２に比べて長く形成されている。本体部１はその上面１０がハウジング２の天板２１と、側面１５がハウジング２の側壁部２２と接触することで、ハウジング２に保持されている。
【００２９】
ハウジング２が本体部１を保持した状態で、ピン足２３（２３Ｆ、２３Ｒ）をプリント配線基板ＰＢに形成された貫通孔ＰＢ１に挿通しはんだ付けすることでハウジング２は固定される。また、ハウジング２はピン足２３（２３Ｆ、２３Ｒ）がはんだ付けされることにより、プリント配線基板ＰＢを介して接地されており、本体部１の保持及び固定以外に不要輻射を防御するシールドとしての効果も有している。
【００３０】
また、本体部１の背面１Ｒに配置された信号線１４は、プリント配線基板ＰＢの上面に形成されている配線パターン（図示省略）に接触配置されはんだ付けにて固定される（面実装）（図２参照）。図３に示すように、本体部１をハウジング２に取り付けたときに、信号線１４のプリント配線基板ＰＢへのはんだ付けを行う部分（はんだ付け部１４１）が、側面から見たときにハウジング２の前面側ピン足２３Ｆと背面側ピン足２３Ｒと間に配置されている。
【００３１】
すなわち、図３に示すように、前面側ピン足２３Ｆと背面側ピン足２３Ｒとは長方形領域Ａ１の各頂点に配置されており、本体部１をハウジング２に取り付けたときに信号線１４のはんだ付け部１４１がその長方形領域Ａ１の内部に配置される。
【００３２】
図５に図２に示すレセプタクルに力が付加したときの状態の側面図を示す。図５に示す状態は、レセプタクルＡに挿入されているプラグＰｇを介して、プラグＰｇ及びそのプラグＰｇが取り付けられているケーブルＣｂの重量にてレセプタクルＡが下方に付勢されたときの図である。
【００３３】
プラグＰｇを介して、レセプタクルＡに下向きの力（図５中矢線Ａｒ１で示す）が付加されると、その力はレセプタクルＡのハウジング２を介して、プリント配線基板ＰＢに作用する。このとき、プリント配線基板ＰＢはレセプタクルＡを介して作用する力によって、背面側ピン足２３Ｒを支点に下向きにたわむ。
【００３４】
しかし、プリント配線基板ＰＢのピン足２３（２３Ｆ、２３Ｒ）にて囲まれる長方形領域Ａ１は、プリント配線基板ＰＢの全体に比べて小さいので変形しにくい。信号線１４は領域Ａ１の内部に配置されはんだ付けされており、領域Ａ１ではプリント配線基板ＰＢがほとんど変形しないので、はんだ付け部１４１及び（又は）はんだ付け１４１と配線パターンとのはんだ付け部との間にせん断力が発生しないか、発生したとしても小さなせん断力であるので、信号線１４のはんだ付け部１４１に亀裂が生じたり、はんだが剥離したりする不具合の発生を抑制することができる。
【００３５】
このようにハウジング２を形成し、ハウジング２に本体部１を固定してプリント配線基板ＰＢに取り付けることで、レセプタクルＡにプラグＰｇ及びケーブルＣｂの重量により力が付加され、プリント配線基板ＰＢがたわんだとしても、信号線１４はプリント配線基板ＰＢ（配線パターン）との接続が良好な状態を維持することができる。このことは、プラグＰｇを介してプラグＰｇの抜き挿し方向ではない方向にかかる力が付加された場合であっても、信号の授受の妨げにならないレセプタクルとすることができる。
【００３６】
上記実施例では、レセプタクルにＡ付加する力として、プラグＰｇ及びプラグＰｇが取り付けられているケーブルＣｂの重量によるものを例に説明しているが、それに限定されるものではなく、たとえば、プラグＰｇの抜き挿しのときに抜き挿し方向以外の方向にプラグＰｇを移動させたことによる力や、ケーブルＣｂが引っ張られたり、押されたりすることで発生する力であっても同様である。
【００３７】
図６に本発明にかかるレセプタクルの他の例の拡大断面図を示す。図６に示すレセプタクルＢは、側周壁３が異なる以外は図３に示すレセプタクルＡと同じ構成であり、実質上同一の部分には同一の符号が付してある。
【００３８】
図６に示すようにハウジング３は、長方形状の天板３１と、図中上部に配置されている第１側壁部３２ａ、第２側壁部３２ｂとを有している。第１側壁部３２ａは第２側壁部３２ｂよりも短く形成されている。本体部１の信号線１４は、第１側壁部３２ａのピン足３３ａＦ、３２ａＲ、第２側壁部３２ｂのピン足３３ｂＦ、３３ｂＲで形成される矩形状の内部に入るように形成されている。この構成であっても、ピン足３３ａＦ、３３ａＲ、３３ｂＦ、３３ｂＲで囲まれた部分に信号線が配置されているので、プリント配線基板ＰＢ上に信号線が形成されていたり、電子部品が配置されていたりした場合であっても、信号線１４はプリント配線基板ＰＢ（配線パターン）との接続が良好な状態を維持することができる。
【００３９】
また、上記実施例ではハウジング２の側壁部２２に設けられるピン足２３は前面側ピン足２３Ｆが２個、背面側ピン足２３Ｒが２個、平面視長方形状に配置されるものを例に説明しているが、それに限定されるものではなく、ピン足２３で囲まれる範囲内に信号線１４（１６）が配置され、そのピン足２３（２３Ｆ，２３Ｒ）で囲まれる範囲内でプリント配線基板ＰＢの配線パターンとはんだ付けされるものを広く採用することができる。また、ハウジング２として、金属板を折り曲げて形成するものを例に説明しているが、それに限定されるものではない。また、上記実施例においてレセプタクルは、信号線がプリント配線基板の表面にはんだ付けされるもの（面実装のもの）を例に説明しているが、それに限定されるものではなく、プリント配線基板に形成されているスルーホールに挿通しはんだ付けされるものであってもよい。
【００４０】
また、上記実施例ではレセプタクルとして、ＨＤＭＩ規格に準拠したレセプタクルを例に説明しているが、それに限定されるものではなく、信号伝送用のプラグを受け入れることができるレセプタクルに対して広く採用することが可能である。
【００４１】
なお、上述した実施例は本発明の好適な実施の形態の例であるが、これに限定されるものではなく、本発明の要旨を逸脱しない範囲において、種々変形したもので実施することが可能である。
【産業上の利用可能性】
【００４２】
本発明は、光ディスク装置、ＴＶ受像機、ＶＴＲ等の電子機器間で信号を伝送するためのケーブルに備えられるプラグを受け入れるためのレセプタクルに用いられる。
【図面の簡単な説明】
【００４３】
【図１】本発明にかかるレセプタクルの一例の拡大正面図である。
【図２】図１に示すレセプタクルの拡大側面図である。
【図３】図１に示すレセプタクルのＸ−Ｘ断面図である。
【図４】図１に示すレセプタクルの本体部とハウジングとを分解した状態の斜視図である。
【図５】図２に示すレセプタクルに力が付加したときの状態の側面図である。
【図６】本発明にかかるレセプタクルの他の例の拡大断面図である。
【図７】従来のレセプタクルの側面図である。
【図８】従来のレセプタクルに力が付加したときの状態の側面図である。
【符号の説明】
【００４４】
Ａ、Ｂ  レセプタクル
１  本体部
１１  端子
１２  端子ホルダ
１３  挿入孔
１４  信号線
２  ハウジング
２１  天板
２２  側壁部
２３  ピン足
ＰＢ  プリント配線基板
Ｐｇ  プラグ
Ｃｂ  ケーブル
【図１】
2007265903.tif 000003
【図２】
2007265903.tif 000004
【図３】
2007265903.tif 000005
【図４】
2007265903.tif 000006
【図５】
2007265903.tif 000007
【図６】
2007265903.tif 000008
【図７】
2007265903.tif 000009
【図８】
2007265903.tif 000010